(57)【要約】【課題】マンションの設備改修工事において、ベランダ等の手すりから物が落下するのを防止する手すりガードを提供する。【解決手段】  本考案は、手すりから物の落下を防止する手すりガード（１０）である。手すりガードは、第１辺と第１辺と交差する第２辺とを有する複数枚の平板（４０）からなり、平板の第２辺を可撓性の結合部で結合した折り畳み可能なパネル（２０）と 、パネルの隅部の少なくとも２か所に前記手すりと前記パネルを締結する締結体（３０）と 、を備える。【選択図】図２
0003219184.tif 000002
【実用新案登録請求の範囲】
【請求項１】
手すりから物の落下を防止する手すりガードであって、
第１辺と該第１辺と交差する第２辺とを有する複数枚の平板からなり、前記平板の前記第２辺を可撓性の結合部で結合した折り畳み可能なパネルと、
前記パネルの隅部の少なくとも２か所に前記手すりと前記パネルを締結する締結体と、
を備える手すりガード。
【請求項２】
前記平板は、プラスチック又は発泡プラスチック製であり、
前記平板の形状は、前記第１辺と前記第２辺が直角もしくは傾斜角で交差する長方形状もしくは平行四辺形状、又は前記第１辺が一定距離ごと高さの変わる階段形状で且つ前記第２辺が直線である形状を含む請求項１に記載の手すりガード。
【請求項３】
前記締結体は、前記パネルに組み込まれた磁石、前記パネルに装着されたハトメ部材及び該ハトメ部材に接続されたロープ、前記パネルに接続されたロープ及び該ロープに取り付けられた磁石、前記パネルに貼り付けされた面ファスナー、又は前記パネルに接続されたロープ及び該ロープに取り付けられたバックルを含む請求項１又は請求項２に記載の手すりガード。
【請求項４】
前記結合部が、可撓性の接着テープで形成される請求項１から請求項３のいずれか一項に記載の手すりガード。
【請求項５】
前記結合部で結合されていない前記第２辺及び前記第１辺は、前記パネルよりも柔軟性があるクッション材が形成されている、請求項１から請求項４のいずれか一項に記載の手すりガード。
【請求項６】
略長方形の布状部材と、前記布状部材の隙間を閉塞する手すりに固定する締結体と、を備える、ベランダや開放廊下、階段踊り場等の手すりから物が落下するのを防止する手すりガード。
【考案の詳細な説明】
【技術分野】
【０００１】
本考案は、マンションの設備改修工事において、ベランダ等の手すりから物が落下するのを防止する手すりガードに関する。
【背景技術】
【０００２】
ベランダや開放廊下、階段踊り場等には、採光性、通気性などの機能を付加させるために、手すりが設けられている。しかし一般的に、手すりは、対象物が通り抜ける隙間を有しており、上層階の手すりの存在は、対象物の落下事故を発生させるひとつの要因となっている。特にマンション等の設備改修工事において、工具、工事材料、又は撤去物などを落下させてしまう恐れがある。
【０００３】
マンション等の設備改修工事では、建築部品または仕上げ作業の損傷を防ぐ安全または保護手段として養生部材が使用される。特許文献１では、硬質プラスチック材料からなるパネルと、床面と密着して滑り止め効果を発揮する滑り止めシートとを積層した折り曲げ可能な養生部材が提案されている。また特許文献２では、発泡ポリオレフィンシートの表面及び裏面に複数の折線が設けられ蛇腹折り可能な養生シートが提案されている。
【先行技術文献】
【特許文献】
【０００４】
【特許文献１】特開２０１６−１７６２０６号公報
【特許文献２】登録実用新案第３１９００５９号公報
【考案の概要】
【考案が解決しようとする課題】
【０００５】
しかしながら、特許文献１で提案されている養生部材及び特許文献２で提案されている養生シートとも、床面を保護するための養生部材又は養生シートであって、そのままではベランダや開放廊下、階段踊り場等の手すりに使用することはできない。
【０００６】
本考案は、マンション等の設備改修工事において、ベランダや開放廊下、階段踊り場等の手すりから物が落下するのを防止する手すりガードを提供することを目的とする。
【課題を解決するための手段】
【０００７】
上記の目的を達成するために、本考案は、手すりから物の落下を防止する手すりガードであって、第１辺と第１辺と交差する第２辺とを有する複数枚の平板からなり、平板の第２辺を可撓性の結合部で結合した折り畳み可能なパネルと、パネルの隅部の少なくとも２か所に前記手すりと前記パネルを締結する締結体と、を備える手すりガードを提供する。
【考案の効果】
【０００８】
本考案の手すりガードは、折り畳むことができるので、容易に作業現場であるベランダに運び込むことができる。また作業現場のベランダでは、折り畳まれた手すりガードを展開するだけで、簡単に手すりに取り付けることができる。
【図面の簡単な説明】
【０００９】
【図１】手すりに締結された手すりガードの説明図である（第１実施形態）。
【図２】手すりガードの正面図である（第１実施形態）。
【図３】パネル部の部分図である。
【図４Ａ】締結体の一例を示す説明図である（ハトメ部材及びロープ）。
【図４Ｂ】締結体の一例を示す説明図である（磁石）。
【図４Ｃ】締結体の一例を示す説明図である（ロープ及び磁石）。
【図４Ｄ】締結体の一例を示す説明図である（面ファスナー）。
【図４Ｅ】締結体の一例を示す説明図である（ロープ及びバックル）。
【図５】階段の寸法についての説明図である。
【図６】手すりガードの正面図である（第２実施形態）。
【図７】結合部の一例を示す説明図である（第２実施形態）。
【図８】手すりガードの正面図である（第２実施形態変形例）。
【図９】手すりに締結された手すりガードの説明図（第３実施形態）。
【考案を実施するための形態】
【００１０】
本考案の実施形態に係る手すりガードについて、以下添付図面を参照しながら説明する。本実施形態に係る手すりガードは、直線状の手すり、曲がりを有する手すり、又は階段部分のように勾配を持った手すり等様々な形状の手すりに使用することができる。
【００１１】
＜第１実施形態＞
図１は、第１実施形態の手すりガード１０が、直角に曲がったベランダの手すりに締結されていることを示す説明図である。手すりガード１０の下側は、ベランダの笠木天端（バルコニー天端）に接するように締結されている。
【００１２】
図２は、手すりガード１０の正面図を示している。図２に示されるように、手すりガード１０は、手すりから物の落下を防止するパネル２０と、パネル２０の隅部の少なくとも２か所に手すりとパネル２０を締結する締結体３０と、を備えている。パネル２０は、平板４０と可撓性の結合部５０とを有する。パネル２０は例えば３枚の平板４０から構成されてもよい。パネル２０は、第１実施形態及び第２実施形態では３枚の平板４０から構成されているが、２枚の平板４０、４枚以上の平板４０で構成され、それぞれが可撓性の結合部５０で結合してもよい。
【００１３】
またベランダの作業範囲が水平方向に狭い場合には、パネル２０の１枚の平板４０を可撓性の結合部５０で折り畳んで使用しても良いし、図１で示されたようにベランダの作業範囲が曲がっていれば、可撓性の結合部５０で１枚の平板４０を折り曲げて使用しても良い。図示しないが、ベランダの作業範囲が水平方向に広い場合には、２つ、３つの手すりガード１０を更に横に追加して使用してもよい。締結体３０に関しては、図４Ａから図４Ｅを使って後述する。
【００１４】
次に図３を使って、まず平板４０及び可撓性の結合部５０を説明する。平板４０は、第１辺４５と第１辺と直角に交差する第２辺４６とを有する長方形状であり、パネル２０は、可撓性の結合部５０の個所で折り畳みが可能になる。
【００１５】
平板４０は、プラスチックダンボールで形成されている。プラスチックダンボールは、軽量で工事現場のベランダへの可搬性に優れており、耐水性や耐久性があることから屋外のベランダでの使用に適している。同様に、建築・改修工事で養生資材として使用されている、ポリプロピレン製プラスチック板、ポリエチレン製又ポリプロピレン製の発泡プラスチック、及び紙段ボールやべニア板等も平板４０に使用することができる。
【００１６】
平板４０は、例えば第１辺４５の長さが約４５ｃｍ、第２辺４６の長さが約９０ｃｍの大きさである。日本の建築物は多くが「尺貫法」基準の寸法で建築されているため、第１辺４５が約４５ｃｍ、第２辺４６が約９０ｃｍであると手すりガード１０は使いやすい。しかし、第１辺４５が約５０ｃｍ、第２辺４６が約１００ｃｍであってもよく、それ以外の寸法であっても良い。
【００１７】
ベランダの手すりの高さは建築基準法施行令で１１０ｃｍ以上と規定されている。一般に、ベランダの手すりは笠木天端（バルコニー天端）の上に形成され、笠木天端が２０ｃｍ以上の高さがあることが多いので、第２辺４６の長さが約９０ｃｍ（高さの手すりガード１０の高さ）ならば、手すりガード１０の上端が手すりの頂部と一致する高さで取り付ければよい。仮に、笠木天端が低い場合には、手すりガード１０の上端が手すりの頂部より低い高さでベランダに締結されることが好ましい。
【００１８】
第２辺４６の長さが約９０ｃｍあれば、マンションの設備改修工事において、工具や材料、撤去物などが、ベランダの床から直接手すりの床面部の隙間を抜け出たり、ベランダの床に落下した後に床等に当たって跳ね返り、手すりの隙間から抜け出たりする落下を防止できる。
【００１９】
平板４０を結合する結合部５０は、可撓性の粘着テープで形成されている。平板４０は、第２辺４６の間の距離Ｄを約１．５ｃｍにした状態で粘着テープによって結合される。粘着テープには幅が約３ｃｍから１０ｃｍの梱包用テープ（ビニル素材、紙素材など）を使用する。梱包用テープは、強力な接着力と、耐久性、耐水性に優れていることから、手すりガード１０での使用に適している。
【００２０】
図３に示されるように、クッション材６０が、平板４０の結合部５０で結合されていない第２辺４６及び第１辺４５に形成される。クッション材６０は、平板４０の辺が接触する手すり等に傷をつけることを防ぐことができる。平板４０が柔らかい場合にはクッション材６０が平板４０の角部又は辺に設けられなくも良いが、平板４０がプラスチックダンボール等の硬質である場合には、梱包用テープ等で角部及び辺を覆うことが好ましい。平板４０にプラスチックダンボール等よりもさらに硬質な硬質プラスチック板又はベニヤ板を使用する場合には、梱包用テープに代えてクッションテープを使用することが好ましい。クッションテープは、テープの基材に発泡プラスチックを使用しているため、柔軟性があり耐衝撃性が優れている。厚さが約２ｍｍで、幅が約５０ｍｍのサイズのクッションテープは、第２辺４６を中心線に折り返して平板４０に貼り付けると、パネル２０全体として嵩張ることは無い。
【００２１】
次に、ベランダの手すりとパネル２０とを締結する締結体３０について説明する。第１実施形態では、図２に示されるように、締結体３０が、３枚の平板４０で構成されるパネル２０の４隅に設けられている。締結体３０は、パネル２０の上側の隅部の少なくとも２か所に設けられていることが好ましい。またパネル２０の１枚の平板４０を可撓性の結合部５０で折り畳んで使用される場合、又は図１で示されたように平板４０を可撓性の結合部５０で折り曲げて使用される場合には、３枚の平板４０の真ん中の平板４０の角部にも締結体３０が設けられて、合計８か所に締結体３０が設けられても良い。
【００２２】
図４Ａに示されるように、締結体３０は、平板４０に装着されたハトメ部材３１と、ハトメ部材３１に接続され手すりガード１０を手すりに締結するロープ３２と、から構成されている。ロープ３２は、結束に用いる金属製のスリーブ３３によってハトメ部材３１に繋ぎ止められる。ハトメ部材３１は、平板４０に設けた孔の周囲を補強するためのものであって、両面ハトメで穴径が約１０ｍｍのアルミ製である。ハトメ部材３１が装着される平板４０がプラスチックダンボールであれば、ハトメ部材３１には、ポリカーボネート製又はポリプロピレン製等のプラスチック製が使用できる。また、真鍮製等のハトメ部材３１も使用してもよい。また平板４０自体が硬質であれば、ハトメ部材３１を使用しなくても良い。
【００２３】
ハトメ部材３１にはロープ３２が縛り付けられている。ロープ３２には、書類を束ねるために使う「つづりひも」を使用することができ、例えば、「つづりひも」の長さは約４００〜７００ｍｍである。ロープ３２は、ベランダの床面上に設置された手すりガード１０を手すりに締結して保持することが目的であるので、適度な引張強度があればよく、包装用のアクリル製、ポリプロピレン製、又はナイロン製等の直径が約１ｍｍから約５ｍｍの紐であればよい。
【００２４】
締結体３０はハトメ部材３１とロープ３２との組み合わせ以外にもいろいろなものが適用できる。図４Ｂに示されるように、締結体３０は平板４０に組み込まれた磁石３４により構成することができる。手すりは一般的にスチール製であるため、パネル２０に装着された磁石３４の磁力により平板４０は手すりに締結される。磁石３４は例えばアルニコ磁石、フェライト磁石、又はネオジム磁石等の永久磁石である。図４Ｂでは、クッション材６０が配置された平板４０の一部をくり抜いてそのくり抜かれた箇所に磁石３４が配置されているが、磁石３４がマグネットシート（縦が約２０ｍｍ、横が約４０ｍｍ、厚さが約２ｍｍ）の場合には、両面テープ又は接着剤によりパネル２０に直接取付けることができる。磁石３４の寸法は、磁力の大きさに合わせて適宜変更することができる。平板４０が例えば厚さが約４ｍｍのプラスチックダンボールで形成されている場合には、ダンボールの中空構造内に直径約３ｍｍの円筒状の磁石３４を組み込んでもよい。
【００２５】
別例の締結体として、図４Ｃに示されるように、締結体３０は平板４０に接続された平ロープ３２に磁石３４が取り付けられた構成とすることができる。平ロープ３２は、平板４０に形成された細長いスリット孔を貫通させて保持される。平ロープ３２の一方の端部に取付けられた磁石３４を手すりの周りを周回させ、平ロープ３２の他方の端部に取付けられた磁石３４と磁力で引っ付くことにより、手すりガード１０を手すりに締結する。図４Ｃに示される締結体３０は、ベランダの手すりがアルミ製・ステンレス製の場合に有効な締結手段となる。平ロープ３２の長さは約４００〜７００ｍｍが好ましい。磁石３４の磁力によっては、平ロープ３２の他方の端部にはスチール板が取り付けられてもよい。平ロープ３２はナイロン製やポリエステル製等を使用し、磁石３４は平ロープ３２に接着剤で接着される。
【００２６】
別例の締結体として、図４Ｄに示されるように、結合体３０は平板４０に貼り付けられた面ファスナー３５により構成することができる。面ファスナーは、マジックテープ (登録商標)、ベルクロ (登録商標)とも呼ばれる。一般的に面ファスナーは、、フックが形成された面とループが形成された面を合わせることで、フックがループに引っ掛かり両面が接着する。面ファスナー３５は、フックとループの両方が同一面上に形成されたタイプの面ファスナーを使用する。このタイプの面ファスナーは、フック及びループが形成されていない側の面は平坦であるので、両面テープで平板４０に貼り付けることができる。面ファスナー３５を手すりの支柱の周りを周回させ、面ファスナー３５のフック及びループが形成された面同士を接着させると、手すりガード１０を手すりに締結することができる。
【００２７】
別例の締結体として、図４Ｅに示されるように、結合体３０は平板４０に接続されたロープ３２と、ロープ３２に取付けられたバックル３６による構成とすることができる。バックル３６の一方を手すりの周りを周回させ、他方のバックルに結合する。これで手すりガード１０を手すりに締結することができる。ロープ３２は平ロープタイプを使用し、ロープ３２は接着剤で平板４０に接着されたり、細長いスリットを貫通して保持されたりする。バックル３２は、バックル３２にロープ３２を通すことで連結できることが好ましいが、ロープ３２を縫い合わせて連結してもよい。
【００２８】
以上、締結体３０を図４Ａから図４Ｅまで使って説明してきたが、平ロープタイプを丸形のロープに変更してもよい。また１枚のパネル２０に、図４Ａで示された締結体３０と、図４Ｃで示された締結体３０とを同時に適用してもよい。また図４Ｃから図４Ｅの締結体３０ではハトメ部材３１が使用されなかったが、図４Ｃから図４Ｅの締結体３０でもハトメ部材３１が使用されてもよい。
【００２９】
＜第２実施形態＞
第２実施形態では、マンションの設備改修工事の階段に設置される手すりガード１２について説明する。
【００３０】
まず、図５を使ってマンションの階段の寸法について説明する。建築基準法施行令により、一般的なマンションにおいては、マンションの階段の寸法は、踏面７１の寸法が２４ｃｍ以上、及び蹴上７２の寸法が２０ｃｍ以下、と規定されている。マンションのベランダの手すりの高さは建築基準法施行令により１１０ｃｍ以上とされているのに対し、マンションの階段の手すりの高さは規定がないが、ベランダの手すりの高さと同様に、踏面７１から約１１０ｃｍ以上が一般的といわれている。
【００３１】
図６は第２実施形態の手すりガード１２を示した図である。第２実施形態の手すりガード１２は、工事中の階段に設置され手すりからの物の落下を防止する。手すりガード１２は、手すりから物の落下を防止するパネル２２と、パネル２２の隅部などに設けた２か所に手すりとパネル２０を締結する締結体３０と、を備えている。パネル２２は、平板４２と可撓性の結合部５１と第２結合部５５とを有する。パネル２２は例えば２枚から４枚の平板４２から構成されてもよい。複数枚の平板４２が可撓性の結合部５１で結合される。平板４２の形状は第１辺４５と第２辺４６が傾斜角で交差する平行四辺形状である。マンションの階段は、踏面７１及び蹴上７２の寸法がマンションごとに異なるため、厳密には傾斜角もマンションごとに異なることになる。このため、工事対象の階段の傾斜角に合わせて手すりガード１２を製作することが好ましい。
【００３２】
しかしながら、手すりガード１２が汎用的に使用できるように、傾斜角は、踏面７１の寸法及び蹴上７２の寸法に基づいて、３８度から４２度で形成されることが好ましい。また、締結体３０の、例えばロープ３２等の長さを長めに設定することにより、角度差に起因する締結位置の隔離を多少吸収することができる。また角度差を吸収するため、平板４２と平板４２との間の距離Ｄを第１実施形態より大きくすることが好ましい。また締結体３０を各平板４２に設けることでも、角度差を吸収ししっかりと階段の手すりに締結できる。
【００３３】
締結体３０は、第１実施形態と同様である。第２実施形態では、パネル２２と手すりの相対高さが第１辺４５の方向で変化するため、図４Ｂに示すパネルに組み込む磁石３４の位置について制約が大きくなる。そこで、第２実施形態では、磁石３４を平板４２の第２辺４６に沿って組み込むことにより、階段の支柱又は格子部材への吸着を容易にすることができる。
【００３４】
平板４２は、第１実施形態と同様、プラスチックダンボールで構成されることが好ましいが、プラスチック板、発泡プラスチック、及び紙段ボールやべニア板等も使用することができる。なお、３枚の平板４２のうち両側の平板４２は、第１実施形態と異なり、第２辺４６に直交する方向の中央部に第２結合部５５を有する。手すりガード１２を手すりに締結した際に、階段の手すりの上から手すりガード１２の上端部分が突き出るのは、工事作業者・マンションの住人に安全上好ましくない。従って、平板４２の第２辺４６の長さは、手すりの高さ以下にすることが好ましい。
【００３５】
これは、パネル２２を折り畳んだときに、パネル２２が全体として傾斜した形状であるために、上下方向の長さを折りたたんで短くするためである。第２結合部５５は、平板４２を水平方向に２分割し、結合部５１と同様、梱包用テープを使用して作製することができる。平板４２がプラスチックダンボールである場合には、その中空構造の方向すなわち筋目の方向を平板４２の上下方向にする。図７に示されるように、筋目方向と直角方向に切れ目を入れると、その切れ目で折り曲げが可能になる。切れ目は梱包用テープで折り曲げ可能に補強しておくことが好ましい
【００３６】
＜第２実施形態変形例＞
図８は、第２実施形態の変形例の手すりガード１４の正面図である。マンションの設備改修工事の階段に設置される手すりガード１４は、パネル２４と、パネル２４の隅部の設けられた締結体３０と、を備えている。変形例の手すりガード１４は、基本的に第２実施形態と同じであるので、主に第２実施形態との相違点について説明する。
【００３７】
パネル２４は、平板４４と可撓性の結合部５２とから構成される。図８に示されるように、平板４４は、第１辺４５が一定距離ごと高さの変わる階段形状で且つ第２辺４６が直線である形状である。パネル２４の下側の第１辺４５である下段差辺１４５は、マンションの階段の踏面７１に対応する一辺８１と、蹴上７２に対応する一辺８２とが階段状に交互に連続する形状であり、階段の形状に適合するように形成されている。パネル２４の上側の第１辺１４５である上段差辺１４５は、下段差辺１４５と同一の形状である。マンションの階段の踏面７１及び蹴上７２の寸法はマンションごとに異なるため、工事対象の階段に合わせて手すりガード１４を製作することが好ましい。
【００３８】
踏面７１の寸法と一辺８１の寸法が異なる場合は、蹴上７２と一辺８２との間に間隙が生ずる。結合部５２の平板間の距離Ｄを長くすることによって、間隙を調整することができるので、平板４４と平板４４との間の距離Ｄを第１実施形態より大きくとることが好ましい。また蹴上７２の寸法と一辺８２の寸法が異なる場合は、踏面７１と一辺８１との間に間隙が生ずる。平板４４に設けられる第２結合部５５の構成を、結合部５２と同様の可撓性の粘着テープで形成することにより、間隙を調整することができる。
【００３９】
第２結合部５５は、第２実施形態と同様、パネル２４を折り畳んだときに、パネル２４が全体として傾斜した形状であるために、上下方向の長さが長くなるのを避けるために設けられる。第２結合部５５は、平板４４を水平方向に２分割し、結合部５０と同様、梱包用テープを使用して作製することができる。工事対象の階段に合わせて手すりガード１４が製作される場合は、階段と手すりガード１４との間に間隙が発生しない。この場合、平板４４がプラスチックダンボールであれば、第２実施形態と同様、図７に示されるように筋目方向と直角方向に切れ目を入れるタイプの結合部とすることができる。
【００４０】
＜第３実施形態＞
図９は、らせん階段に取り付けられた第３実施形態の手すりガード１６を示している。本実施形態の手すりガード１６は、略長方形の布状部材からなるパネル２６と、パネル２６を手すりに締結する締結体３０と、を備え、ベランダや開放廊下、階段踊り場等の手すりから物が落下するのを防止する。
【００４１】
パネル２６は、手すりの形状に合わせることが容易な可撓性のある布状部材で形成される。ポリエチレン繊維やナイロン繊維、綿、麻等で織られた布地に合成樹脂をコーティングしたシート材が、防水性、衝撃吸収性から好ましい。例えば、養生シートとして使用される、いわゆるブルーシートを使用することができる。
【００４２】
パネル２６は、布状であるため、手すりに吊るして取り付ける。このため、締結体３０は、パネル２６の上部、すなわち第１辺４５に沿って装着され、且つパネル２６の上部が大きく垂れ下がらないように、適当な間隔を置いて配置される。らせん階段は傾斜があるため、略長方形のパネル２６は、その横方向の両端部、すなわち第２辺４６で、階段の垂直方向の支柱と方向に違いが生ずる。この場合は、別のパネル２６を部分的にオーバーラップして取り付ける。
【００４３】
またパネル２６が布状であることから、手すり下部において、パネル２６と踏面７１との間から工具等が抜け出るおそれがある。従って、パネル２６の高さ、すなわち第２辺４６の寸法を手すりの高さに対し長めに設定し、踏面７１上に残る長さが長くなるようにする。このため、パネル２６の下部に装着される締結体３０は、踏面７１上に残るパネル３０の長さ以上の間隔を設けて、パネル２６の下辺より上方の位置に装着されるようにする。このように装着されることで、図９に示されるように、締結体３０は踏面７１より高い位置に設定されるので、パネル２６を手すりに容易に締結することができる。図９では、パネル２６の上部の締結体３０は、ハトメ部材３１とハトメ部材３１に接続されるロープ３２とから構成され、パネル２６の下部の締結体３０は、図４Ｄに示される、パネル２６に貼り付けられた面ファスナー３５により構成されている。パネル２６の上部及び下部の締結体３０は、図４Ｃに示される、平ロープ３２に磁石３４が取り付けられた構成でもよいし、図４Ｅに示されるロープ３２にバックル３６が付けられた構成でもよい。
【符号の説明】
【００４４】
１０、１２、１４、１６…手すりガード
２０、２２、２４、２６…パネル
３０…締結体、３１…ハトメ部材、３２…ロープ、３３…スリーブ
３４…磁石、３５…面ファスナー、３６…バックル
４０、４２、４４…平板、４５，１４５…第１辺、４６…第２辺
５０、５１、５２、５５…結合部
６０…クッション材
７１…踏面、７２…蹴上
８１…踏面７１に対応する一辺、８２…蹴上７２に対応する一辺
Ｄ…平板間の距離
【図１】
0003219184.tif 000003
【図２】
0003219184.tif 000004
【図３】
0003219184.tif 000005
【図４Ａ】
0003219184.tif 000006
【図４Ｂ】
0003219184.tif 000007
【図４Ｃ】
0003219184.tif 000008
【図４Ｄ】
0003219184.tif 000009
【図４Ｅ】
0003219184.tif 000010
【図５】
0003219184.tif 000011
【図６】
0003219184.tif 000012
【図７】
0003219184.tif 000013
【図８】
0003219184.tif 000014
【図９】
0003219184.tif 000015
【手続補正書】
【提出日】平成30年10月9日(2018.10.9)
【手続補正１】
【補正対象書類名】実用新案登録請求の範囲
【補正対象項目名】全文
【補正方法】変更
【補正の内容】
【実用新案登録請求の範囲】
【請求項１】
手すりから物の落下を防止する手すりガードであって、
第１辺と該第１辺と交差する第２辺とを有する複数枚の平板からなり、前記平板の前記第２辺を可撓性の結合部で結合した折り畳み可能なパネルと、
前記パネルの隅部の少なくとも２か所に前記手すりと前記パネルを締結する締結体と、
を備える手すりガード。
【請求項２】
前記平板は、プラスチック又は発泡プラスチック製であり、
前記平板の形状は、前記第１辺と前記第２辺が直角もしくは傾斜角で交差する長方形状もしくは平行四辺形状、又は前記第１辺が一定距離ごと高さの変わる階段形状で且つ前記第２辺が直線である形状を含む請求項１に記載の手すりガード。
【請求項３】
前記締結体は、前記パネルに組み込まれた磁石、前記パネルに装着されたハトメ部材及び該ハトメ部材に接続されたロープ、前記パネルに接続されたロープ及び該ロープに取り付けられた磁石、前記パネルに貼り付けされた面ファスナー、又は前記パネルに接続されたロープ及び該ロープに取り付けられたバックルを含む請求項１又は請求項２に記載の手すりガード。
【請求項４】
前記結合部が、可撓性の接着テープで形成される請求項１から請求項３のいずれか一項に記載の手すりガード。
【請求項５】
前記結合部で結合されていない前記第２辺及び前記第１辺は、前記パネルよりも柔軟性があるクッション材が形成されている、請求項１から請求項４のいずれか一項に記載の手すりガード。